(57)【要約】    【課題】温度変化による温度演出を遊技者が容易且つ確実に覚知できるようにする。    【解決手段】所定条件のときに遊技者が操作する操作手段又は操作手段の近傍に、遊技者が温度変化を体感可能な複数の体感部５２ａ，５２ｂを設け、その体感部５２ａ，５２ｂに温度演出手段５３ａ，５３ｂを設ける。体感部５２ａ，５２ｂ、温度演出手段５３ａ，５３ｂは遊技者が接触可能な範囲に複数配置する。温度演出手段５３ａは冷却又は冷熱用のペルチェ素子６２を、温度演出手段５３ｂは加熱又は温熱用のペルチェ素子６２又は発熱素子６３を夫々備えている。【選択図】図２
2016104092.tif 000002
【特許請求の範囲】
【請求項１】
遊技者が温度変化を体感可能な体感部に温度演出手段を備えた遊技機において、
遊技者が接触可能な範囲に複数の前記温度演出手段を配置した
ことを特徴とする遊技機。
【請求項２】
遊技者が操作可能な操作手段又は操作手段の近傍に前記複数の温度演出手段を備えた
ことを特徴とする請求項１に記載の遊技機。
【請求項３】
遊技者にサーマルグリル錯覚を惹起させる前記複数の温度演出手段を備えた
ことを特徴とする請求項１又は２に記載の遊技機。
【請求項４】
冷却又は冷熱用の前記温度演出手段と、加熱又は温熱用の前記温度演出手段とを含む
ことを特徴とする請求項１〜３の何れかに記載の遊技機。
【請求項５】
前記複数の温度演出手段は少なくとも１のペルチェ素子を含む
ことを特徴とする請求項１〜４の何れかに記載の遊技機。
【請求項６】
通電方向を切替可能なペルチェ素子を含む
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
例えば、パチンコ機では、遊技者の発射ハンドルの操作により発射手段が作動して、球貯留皿から１個ずつ供給される遊技球をガイドレールを経て遊技盤の遊技領域の上部へと発射する。
【０００３】
そして、遊技球が遊技領域に沿って落下する間に特別図柄始動手段に入賞すれば、その遊技球の検出に基づいて特別遊技状態を発生させるか否かの抽選を行う一方、その遊技球の検出に基づいて特別図柄表示手段の特別図柄、演出画像表示手段の演出図柄を所定の変動パターンで所定時間変動させ、特別遊技の発生を抽選した場合には、特別図柄表示手段の特別図柄が特別態様で停止及び／又は演出画像表示手段の演出図柄が特別演出態様で停止した後、遊技者に有利な特別遊技状態を発生させる。
【０００４】
変動後に特別遊技状態が発生する期待度の高い変動パターンで演出画像表示手段の演出図柄が変動するか、演出図柄等の変動後に特別遊技状態が発生する等の所定条件になれば、各種の演出手段によりその時点の遊技状態を盛り上げる演出を行っている。
【０００５】
この演出手段には、ペルチェ素子による温度変化を利用した温度演出手段がある（特許文献１）。この温度演出手段は、遊技者が発射ハンドルを把持状態のときに、ペルチェ素子の加熱作用又は冷却作用により発射ハンドルを加熱又は冷却して、その加熱又は冷却の温度変化を遊技者が体感できるようにしている。
【先行技術文献】
【特許文献】
【０００６】
【特許文献１】特開２００５−１６８８２４号公報
【発明の概要】
【発明が解決しようとする課題】
【０００７】
従来は発射ハンドルに１個のペルチェ素子を組み込んで、そのペルチェ素子の加熱作用又は冷却作用による発射ハンドルの特定部位の所定領域の温度変化を遊技者が体感できるようにしているに過ぎない。そのため低温火傷等のおそれのない安全な温度帯域での温度変化ではメリハリに乏しく、遊技者がその温度変化による熱痛覚を十分に覚知し難いという問題がある。
【０００８】
本発明は、このような従来の問題点に鑑み、温度変化による温度演出を遊技者が容易且つ確実に覚知できる遊技機を提供することを目的とする。
【課題を解決するための手段】
【０００９】
本発明は、遊技者が温度変化を体感可能な体感部に温度演出手段を備えた遊技機において、遊技者が接触可能な範囲に複数の前記温度演出手段を配置したものである。
【００１０】
遊技者が操作可能な操作手段又は操作手段の近傍に前記複数の温度演出手段を備えてもよい。また遊技者にサーマルグリル錯覚を惹起させる前記複数の温度演出手段を備えてもよい。
【００１１】
冷却又は冷熱用の前記温度演出手段と、加熱又は温熱用の前記温度演出手段とを含むものでもよい。また前記複数の温度演出手段は少なくとも１のペルチェ素子を含むものでもよい。更に通電方向を切替可能なペルチェ素子を含むものでもよい。
【発明の効果】
【００１２】
本発明では、温度変化による温度演出を遊技者が容易且つ確実に覚知できる利点がある。
【図面の簡単な説明】
【００１３】
【図１】本発明の第１の実施形態を示すパチンコ機の正面図である。
【図２】同第１貯留手段側の平面図である。
【図３】同押圧操作手段、温度演出手段の側面断面図である。
【図４】同押圧操作手段の正面断面図である。
【図５】同押圧操作手段、温度演出手段の平面断面図である。
【図６】同温度演出手段の正面断面図である。
【図７】同制御系のブロック図である。
【図８】同予告演出処理のフローチャートである。
【図９】同予告演出処理のタイムチャートである。
【図１０】本発明の第２の実施形態を示すタイムチャートである。
【図１１】本発明の第３の実施形態を示す温度演出手段の断面図である。
【図１２】本発明の第４の実施形態を示す温度演出手段の断面図である。
【図１３】本発明の第５の実施形態を示す温度演出手段の断面図である。
【図１４】本発明の第６の実施形態を示す温度演出手段の配置図である。
【図１５】本発明の第７の実施形態を示す第１貯留手段側の平面図である。
【図１６】同押圧操作手段の側面断面図である。
【図１７】同押圧操作手段、温度演出手段の正面断面図である。
【図１８】同温度演出手段の側面断面図である。
【図１９】本発明の第８の実施形態を示す貯留手段等の斜視図である。
【図２０】本発明の第９の実施形態を示す揺動操作手段の側面図である。
【図２１】同タイムチャートである。
【発明を実施するための形態】
【００１４】
以下、本発明の各実施形態を図面に基づいて詳述する。
【００１５】
図１〜図９は本発明をパチンコ機１に採用した第１の実施形態を例示する。パチンコ機１は図１、図２に示すように矩形状の外枠２と、この外枠２の前側に装着された前枠３とを備え、これらにより遊技機本体が構成されている。前枠３は左右一端側が上下一対のヒンジ４により外枠２に縦軸廻りに開閉自在に枢支されている。
【００１６】
前枠３には上部側の遊技盤装着部（図示省略）に遊技盤５が着脱自在に装着され、また、遊技盤５の下側の支持壁に発射手段６、下部スピーカ７等が装着されている。前枠３の前側には、ヒンジ４と略同一軸心上のヒンジ８により第１前扉９と第２前扉１０とが開閉自在に装着されている。なお、第１前扉９、第２前扉１０は一体化して一つの前扉としてもよい。
【００１７】
第１前扉９は遊技盤５の前側に対応して配置されており、この第１前扉９は遊技盤５の遊技領域１３に対応する視認窓１４を有する扉枠１５と、視認窓１４を塞ぐように扉枠１５の裏面に着脱自在に装着され且つ遊技盤５の遊技領域１３を視認可能なガラスユニット（図示省略）とを有する。なお、第１前扉９の上部側には、効果音発生用の上部スピーカ１６が左右に一対設けられている。
【００１８】
第２前扉１０は、第１前扉９の下側で発射手段６等の前側に対応して配置されている。この第２前扉１０の前側には、発射手段６の発射用の遊技球を貯留する第１貯留手段１８と、余剰球を貯留する第２貯留手段１９と、発射手段６用の発射ハンドル２０とが設けられている。発射ハンドル２０は回動操作部２０ａを有し、この回動操作部２０ａを前後方向の軸心廻りに回動操作したときに発射手段６が作動して、第１貯留手段１８から１個ずつ供給される遊技球を遊技盤５のガイドレール２４を経て遊技領域１３の上部側へと発射するようになっている。
【００１９】
第１貯留手段１８、第２貯留手段１９は皿状であって、第２前扉１０の前側に上下に配置されており、その第１貯留手段１８は第１化粧カバー２１により、第２貯留手段１９は第２化粧カバー２２により夫々前側を含む周辺部分が覆われている。第１化粧カバー２１、第２化粧カバー２２は第２前扉１０に前側から装着されている。
【００２０】
第１化粧カバー２１には、第１貯留手段１８の前側の左右略中央部にチャンスボタン等の押しボタン式の押圧操作手段２３が配置されている。第２化粧カバー２２の側方に発射ハンドル２０が配置され、この発射ハンドル２０の背後に下部スピーカ７が配置されている。
【００２１】
遊技盤５の前面の遊技領域１３はガイドレール２４と前飾り部材２５とにより取り囲まれている。ガイドレール２４は発射手段６から発射された遊技球を遊技領域１３の上部側へと案内するようになっている。
【００２２】
遊技領域１３には、画像表示手段２８、普通図柄始動手段２９、特別図柄始動手段３０、可変入賞手段３１、普通入賞手段３２、普通図柄表示手段３３、特別図柄表示手段３４、可動演出手段３８等の各種の遊技部品が配置されている。
【００２３】
画像表示手段２８は遊技領域１３の左右方向の略中央の上部に配置され、また特別図柄始動手段３０、可変入賞手段３１は画像表示手段２８の下側に上下に配置されている。普通図柄始動手段２９は画像表示手段２８とガイドレール２４との間に配置されている。特別図柄始動手段３０は非開閉式入賞口３０ａと開閉式入賞口３０ｂとを有する。可変入賞手段３１は可変入賞口３１ａと、この可変入賞口３１ａを開閉する開閉板３１ｂとを備えている。普通入賞手段３２は可変入賞手段３１の左右両側に設けられている。
【００２４】
画像表示手段２８は、遊技盤５に裏側から装着された液晶式等の画像表示部３６と、画像表示部３６に対応する表示窓を有し且つ遊技盤５に前側から装着された前飾り用の前構造体３７とを備えている。前構造体３７にはその左右一側部側の前面に普通図柄表示手段３３と特別図柄表示手段３４とが上下に配置され、また画像表示部３６の上側に可動演出手段３８が配置されている。
【００２５】
普通図柄表示手段３３は普通図柄を変動表示するためのもので、複数種類の普通図柄（例えば二種類の「○」「×」）に対応する複数個の発光素子により構成されている。この普通図柄表示手段３３は普通図柄始動手段２９が遊技球を検出することを条件に、２個の発光素子が交互に点灯するように所定時間点滅して、普通図柄始動手段２９の遊技球の検出に基づいて抽選した乱数値が予め定められた特定遊技判定値と一致した場合に特定態様の「○」側の発光素子が点灯し、それ以外の場合に非特定態様の「×」側の発光素子が点灯して停止する。
【００２６】
特別図柄表示手段３４は特別図柄を変動表示するためのもので、発光部位の変化等で特別図柄を変動表示可能なセグメント式等により構成されている。この特別図柄表示手段３４は特別図柄始動手段３０が遊技球を検出することを条件に、特別図柄が所定時間変動して、特別図柄始動手段３０の遊技球の検出に基づいて抽選された乱数値が予め定められた特別遊技判定値と一致した場合に所定の特別遊技態様で、それ以外の場合に非特別遊技態様で停止するようになっている。
【００２７】
特別図柄始動手段３０の開閉式入賞口３０ｂは、普通図柄表示手段３３の変動後の停止図柄が特定態様となったときに所定時間だけ開放するようになっている。可変入賞手段３１は特別図柄表示手段３４の変動後の特別図柄が特別遊技態様となって特別遊技状態が発生したときに開閉板３１ｂが前側に開放して、上方から落下する遊技球を可変入賞口３１ａへと入賞させるようになっている。
【００２８】
画像表示部３６は待機中にデモ画像を表示する他、必要に応じて演出画像を変動表示する演出図柄表示手段３９、押圧操作手段２３の有効期間を操作指示画像４０ａの表示により報知する有効期間報知手段４０、有効期間内に押圧操作手段２３を操作したときに所定の予告演出画像４１ａを表示する予告演出画像表示手段４１として夫々機能するようになっている。
【００２９】
演出図柄表示手段３９は特別図柄表示手段３４の特別図柄が変動する際に、その特別図柄の変動に同期して３個の演出図柄３９ａ〜３９ｃを変動表示するためのものである。この演出図柄３９ａ〜３９ｃは特別図柄始動手段３０の遊技球の検出を条件に、抽選により決定された所定の演出図柄変動パターンを経て所定時間変動した後、特別図柄の変動終了に同期して所定の順序（例えば左、右、中等の順序）で順次停止する。
【００３０】
演出図柄３９ａ〜３９ｃの変動後の停止図柄は、特別図柄が特別遊技態様で停止する場合には全てが揃う特別演出態様となり、特別図柄が非特別遊技態様で停止する場合には少なくとも一部が異なる非特別演出態様となる。
【００３１】
この演出図柄３９ａ〜３９ｃには０〜９までの数字図柄が使用されており、特別図柄が特別遊技態様で停止する場合には演出図柄３９ａ〜３９ｃは「７・７・７」等の特別演出態様で停止し、特別図柄が非特別遊技態様で停止する場合には演出図柄３９ａ〜３９ｃは「２・３・４」等の非特別演出態様で停止する。
【００３２】
有効期間報知手段４０は押圧操作手段２３の操作の有効期間を遊技者に対して報知するためのものである。この有効期間報知手段４０は、変動後の特別図柄が特別遊技態様となる信頼度の高い変動パターンを抽選して遊技者に対して期待感を抱かせる所定の遊技状態になった場合、例えば１個の演出図柄３９ｂを除く２個の演出図柄３９ａ，３９ｃが同じとなるリーチ等の所定条件が成立した場合に、画像表示部３６の所定箇所に押圧操作手段２３の操作を指示する操作指示画像４０ａを表示して、その操作指示画像４０ａにより押圧操作手段２３の有効期間を遊技者に対して報知するようになっている。
【００３３】
予告演出画像表示手段４１は、操作指示画像４０ａが表示状態にある有効期間中に押圧操作手段２３を操作したときに、特別遊技状態の発生を予告する所定の予告演出画像４１ａ、例えばルーレットを矢で射る等の画像を表示するようになっている。
【００３４】
押圧操作手段２３は例えばチャンスボタンであって、第１化粧カバー２１の前側の前下りに緩やかに傾斜する部位に配置されており、図３〜図６に示すように構成されている。即ち、この押圧操作手段２３は、遊技者が押圧操作可能な押圧操作部４４と、押圧操作部４４を押圧方向に移動可能に支持する固定部材４５と、押圧操作部４４を戻し方向に付勢する戻しバネ４６と、押圧操作部４４の操作を検出する検出スイッチ４７と、押圧操作部４４を発光させるＬＥＤ等の発光体４８とを有する。
【００３５】
固定部材４５は熱伝導性を有する合成樹脂材により成型されており、外周側に第１化粧カバー２１の装着部位に上側から当接する当接部４９と、下側へと突出する周方向に複数個の取り付け爪５０とを有し、第１化粧カバー２１の装着部位に形成された装着孔５１に対応して取り付け爪５０により着脱自在に固定されている。
【００３６】
この固定部材４５には、遊技者が押圧操作部４４を掌で押圧操作するときに、その掌が接触可能な手前側に左右一対の第１体感部５２ａ、第２体感部５２ｂが上側に突出して一体に設けられ、その第１体感部５２ａ、第２体感部５２ｂの裏側に第１温度演出手段５３ａ、第２温度演出手段５３ｂが装着されている。
【００３７】
押圧操作部４４は光透過性を有する合成樹脂材により成型されており、左右方向に長い長円状又は楕円状で且つ固定部材４５から僅かに突出する頂部４４ａと、この頂部４４ａの外周から下方に延びる周壁部４４ｂとを一体に備え、固定部材４５の開口部４５ａに上下動自在に嵌め込まれている。なお、押圧操作部４４の形状は任意であって、左右方向に長い矩形状又は正方形状でもよいし、真円状でもよい。周壁部４４ｂ内には頂部４４ａの下側に対応して拡散板５４と乱反射板５５と支持板５６とが配置され、支持板５６の透孔５６ａを介して照射される発光体４８からの光により頂部４４ａ側を発光させるようになっている。
【００３８】
支持板５６は遮光性を有する合成樹脂材により成型されており、径方向の外側に突出する係合突起５７と、下方側へと突出する爪付きの案内突起５８とが一体に設けられている。この支持板５６は係合突起５７を介して押圧操作部４４の周壁部４４ｂに着脱自在に固定され、また爪付きの案内突起５８を受け部材５９の案内孔５９ａに上下方向に摺動自在に挿通して抜け止めされている。受け部材５９は固定部材４５のボス部４５ｃにネジ等の固定手段５９ｂで着脱自在に固定されている。
【００３９】
戻しバネ４６は圧縮コイルバネ等であって、押圧操作部４４の略中央で支持板５６のバネ受け部５６ｃと受け部材５９のバネ受け部５９ｃとの間に介在されている。押圧操作部４４は案内突起５８の爪が受け部材５９の下側に係合する待機位置と、周壁部４４ｂが受け部材５９の上側に当接する押圧位置との間で移動自在である。
【００４０】
検出スイッチ４７、発光体４８は受け部材５９の下側に設けられた基板６０に装着されている。検出スイッチ４７は押圧操作部４４の略中央に配置されており、押圧操作部４４を押圧して支持板５６の下側の突起部６１が検出スイッチ４７内に侵入したときに、押圧操作部４４の押圧を検出するように非接触式のフォトセンサ等により構成されている。検出スイッチ４７、突起部６１は、戻しバネ４６と干渉しないようにその略中央に配置されている。発光体４８は検出スイッチ４７の両側に配置されている。
【００４１】
第１温度演出手段５３ａ、第２温度演出手段５３ｂは温度変化による熱痛覚を通じて、遊技者に対して遊技状態の温度演出を体感させるためのもので、図３、図５及び図６に示すように固定部材４５の各体感部５２ａ，５２ｂの裏側に装着されており、第１体感部５２ａ、第２体感部５２ｂを所定温度に冷却、加熱して、押圧操作部４４を有効に操作可能な有効期間中に、遊技者が押圧操作手段２３の押圧操作部４４を操作したときに、第１体感部５２ａ、第２体感部５２ｂの温度変化を体感できるようになっている。
【００４２】
この第１温度演出手段５３ａ、第２温度演出手段５３ｂは、通電時に第１体感部５２ａ、第２体感部５２ｂの温度が異なるように構成されている。例えば、第１温度演出手段５３ａは第１体感部５２ａの冷却用（又は冷熱用）であって、ペルチェ素子６２が使用されている。第２温度演出手段５３ｂは第２体感部５２ｂの加熱用（又は温熱用）であって、セラミックヒータ、その他の加熱素子（又はペルチェ素子）６３が採用されている。
【００４３】
第１温度演出手段５３ａは、直流電流の通電方向に応じて一側面が冷却側（吸熱側）となり他側面が加熱側（発熱側）となるペルチェ素子６２と、このペルチェ素子６２の冷却側の温度変化を第１体感部５２ａに伝達する熱伝導体６４ａと、ペルチェ素子６２の加熱側の熱を放熱するヒートシンク６５ａと、熱伝導体６４ａとヒートシンク６５ａとの間に介在され且つペルチェ素子６２の外周を取り囲む断熱材６６ａとを備え、ヒートシンク６５ａがネジ等の固定手段６７ａにより取り付け板６８に着脱自在に固定されている。なお、ペルチェ素子６２と熱伝導体６４ａ、ペルチェ素子６２とヒートシンク６５ａとの間には、シリコン等のグリグリースが薄膜状に介在されている。
【００４４】
ペルチェ素子６２は例えば矩形状であって、熱伝導体６４ａとヒートシンク６５ａとの間に介在され、シリコン材等のシール性を有する断熱材６６ａにより取り囲まれている。熱伝導体６４ａはアルミ材等の熱伝導性のよい材料により構成され、ペルチェ素子６２、断熱材６６ａを挟んでネジ等の固定手段６７ａによりヒートシンク６５ａに着脱自在に固定されている。
【００４５】
第２温度演出手段５３ｂは加熱素子６３と、この加熱素子６３の温度変化を第２体感部５２ｂに伝達する矩形状の熱伝導体６４ｂと、加熱素子６３の外周の断熱材６６ｂと、加熱素子６３の熱を放熱するヒートシンク６５ｂとを備え、ネジ等の固定手段６７ｂにより取り付け板６８に着脱自在に固定されている。
【００４６】
熱伝導体６４ａ，６４ｂはペルチェ素子６２、加熱素子６３の温度変化を第１体感部５２ａ，第２体感部５２ｂに集中的に伝達するように、固定部材４５の第１体感部５２ａ、第２体感部５２ｂの裏側の凹部内に密着状に嵌め込まれており、固定部材４５の各体感部５２ａ，５２ｂの外周部分側との間には所定の隙間が設けられている。
【００４７】
ヒートシンク６５ａ，６５ｂは放熱板６５ａ１，６５ｂ１と、この放熱板６５ａ１，６５ｂ１に固定された多数の放熱用のフィン６５ａ２，６５ｂ２とを有し、そのフィン６５ａ２，６５ｂ２が取り付け板６８の開口部から下側に突出している。取り付け板６８はネジ等の固定手段６９により固定部材４５の裏側に着脱自在に固定されている。
【００４８】
各温度演出手段５３ａ，５３ｂのペルチェ素子６２、加熱素子６３は、図７に示すように、遊技動作を制御する主制御手段７０からのコマンドに従って演出制御手段７１により制御可能である。演出制御手段７１は、演出図柄３９ａ〜３９ｃその他の演出画像による画像演出、遊技盤５その他の各部のＬＥＤの点滅等の発光演出、スピーカから所定の効果音を発生させる音響演出、可動演出手段３８を作動させる可動演出、各温度演出手段５３ａ，５３ｂの温度変化による温度演出等の演出制御を行うためのものである。
【００４９】
この演出制御手段７１は主制御手段７０からの変動パターンコマンドに応じて予告演出の有無を抽選し、予告演出を行う旨の抽選をした場合には、その予告演出制御部７２、温度演出制御部７３を通じて所定の予告演出に関連する制御を行うようになっている。例えば、主制御手段７０からの変動パターンコマンド中でも、特別図柄の変動後に特別遊技状態になるか、又は特別遊技状態になる確立の高い等の、変動時間の比較的長い特定の変動パターンコマンドがあった場合に、演出制御手段７１がその特定の変動パターンコマンドに従って予告演出の有無、種別等を決定する。
【００５０】
予告演出制御部７２は予告演出を行う旨の決定があった場合には、その変動パターンでの演出図柄３９ａ〜３９ｃの変動中に、演出図柄３９ａ〜３９ｃがリーチになる等の所定条件が成立したときに、有効期間報知手段４０に有効期間の操作指示画像４０ａを表示させる機能と、この有効期間報知手段４０が操作指示画像４０ａを表示中の有効期間内に遊技者が押圧操作手段２３を操作したときに予告演出画像表示手段４１に予告演出画像４１ａを表示させる機能とを有する。
【００５１】
温度演出制御部７３は所定条件が成立したときに、有効期間報知手段４０に操作指示画像４０ａが表示される有効期間中に、各温度演出手段５３ａ，５３ｂのペルチェ素子６２、加熱素子６３に直流電流を流し、ペルチェ素子６２の冷却側の冷却作用、加熱素子６３の加熱作用により第１体感部５２ａ、第２体感部５２ｂを冷却、加熱するようになっている。なお、温度演出制御部７３はペルチェ素子６２の冷却時、加熱素子６３の加熱時の温度特性が異なるため、ペルチェ素子６２、加熱素子６３の温度特性に従って個別に制御するようになっている。
【００５２】
このパチンコ機１では、発射ハンドル２０を操作して第１貯留手段１８から１個ずつ供給される遊技球を発射手段６によりガイドレール２４を経て遊技盤５の遊技領域１３へと順次発射させながら遊技を行う。遊技領域１３の上部側へと順次打ち込まれた遊技球は、遊技盤５の前面に沿って落下する間に入賞手段３１，３２等に入賞するか、又は入賞せずにアウト球口から外部へと排出して行く。
【００５３】
遊技球が特別図柄始動手段３０に入賞すると、その遊技球の入賞に基づいて特別遊技状態を発生させるか否かの抽選等を行い、その抽選結果に応じて特別図柄表示手段３４の特別図柄、演出図柄表示手段３９の演出図柄３９ａ〜３９ｃ等が同期して所定の変動パターンに従って所定時間変動して停止する。
【００５４】
特別遊技状態の発生を抽選した場合には、変動後の特別図柄が特別態様で、演出図柄３９ａ〜３９ｃが特別演出態様で夫々停止し、その後、可変入賞手段３１の開閉板３１ｂが可変入賞口３１ａを開放するため、遊技球が可変入賞口３１ａに入賞し易くなる。そして、可変入賞手段３１は、所定時間の開放と、所定数の遊技球の入賞との何れか早い方を１ラウンドとする開閉動作を最大所定ラウンド数まで繰り返す。
【００５５】
予告演出処理に際しては、図８に示すような手順により行う。先ず特別図柄表示手段３４の特別図柄、演出図柄表示手段３９の演出図柄３９ａ〜３９ｃの変動中に、所定条件の成立の有無を確認する（Ｓ１）。そして、例えば演出図柄３９ａ〜３９ｃが予告演出を含む特定の変動パターンで変動する場合に、図９（ａ）に示すように変動中の演出図柄３９ａ〜３９ｃがリーチになる等の所定条件が成立すれば、予告演出制御部７２の制御により、有効期間報知手段４０が押圧操作手段２３の有効期間（図９（ｂ）参照）を示す操作指示画像４０ａを表示し（Ｓ２）、続いて温度演出制御部７３の制御により、各温度演出手段５３ａ，５３ｂのペルチェ素子６２、加熱素子６３への通電を指令し（Ｓ４）、図９（ｃ）に示すようにペルチェ素子６２、加熱素子６３に所定の温度特性に見合う直流電流を通電する。
【００５６】
なお、有効期間中に温度演出を行うか否かの選択を行うようにしてもよい。その場合には、ペルチェ素子６２、加熱素子６３への通電の前に温度演出を行うか否かを判定し（Ｓ３）、温度演出を行う旨の判断のあった後に、ペルチェ素子６２、加熱素子６３に通電するように構成すればよい。
【００５７】
有効期間は図９（ａ）（ｂ）に示すように特別図柄、演出図柄３９ａ〜３９ｃが停止するまでの変動中であり、有効期間内に押圧操作手段２３の操作があるか否かの判定を行う（Ｓ５，６）。有効期間が経過すれば（Ｓ５）、押圧操作手段２３の操作の有無に関係なく予告演出処理を終了する。
【００５８】
有効期間中に遊技者が押圧操作手段２３の押圧操作部４４を操作すると（Ｓ６）、検出スイッチ４７が検出信号を予告演出制御部７２へと送信する。そして、予告演出制御部７２の制御により、予告演出画像表示手段４１が特別遊技状態の発生を予告する予告演出画像４１ａを表示して（Ｓ７）、遊技者に対して特別遊技状態の発生への期待感を喚起する予告演出を行う。なお、遊技者が有効期間内に押圧操作手段２３を操作すれば操作指示画像４０ａが消える等、予告演出処理が終了する。
【００５９】
遊技者は一般的に掌、拳等で押圧操作手段２３の押圧操作部４４を押圧又は叩くように操作する（図９（ｆ）参照）。このとき第１体感部５２ａの温度が図９（ｄ）に示すように低下し、第２体感部５２ｂの温度が図９（ｅ）に示すように上昇しているため、掌、拳等が各体感部５２ａ，５２ｂに接触することにより、遊技者は第１温度演出手段５３ａによる第１体感部５２ａの加熱と、第２温度演出手段５３ｂによる第２体感部５２ｂの冷却とに伴う温度演出を体感することができる。
【００６０】
即ち、画像表示部３６が押圧操作手段２３の有効期間を示す操作指示画像４０ａを表示すると、略同時又は直後に温度演出制御部７３がペルチェ素子６２、加熱素子６３に対して所定方向に直流電流を流す。そして、ペルチェ素子６２が熱伝導体６４ａを介して第１体感部５２ａを冷却し、加熱素子６３が熱伝導体６４ｂを介して第２体感部５２ｂを加熱するため、第１体感部５２ａの温度が低くなり、第２体感部５２ｂの温度が高くなる。
【００６１】
従って、図９（ｂ）（ｄ）（ｅ）に示すように、有効期間内に第１体感部５２ａの冷却時期、第２体感部５２ｂの加熱時期を一致させることにより、押圧操作手段２３を操作する際に、遊技者が各体感部５２ａ，５２ｂに接触するため、遊技者は各体感部５２ａ，５２ｂの温度変化を体感することができる。
【００６２】
特に第１体感部５２ａと第２体感部５２ｂとの内、その第１体感部５２ａを第１温度演出手段５３ａにより冷却し、第２体感部５２ｂを第２温度演出手段５３ｂにより加熱することによって、第１体感部５２ａと第２体感部５２ｂとの相対温度差が大となり、その相対温度差による熱痛覚により遊技者は容易且つ確実に温度演出を体感することができ、火傷等の惧れのない温度帯域でありながらもメリハリのある温度演出が可能である。
【００６３】
また、押圧操作手段２３はその押圧操作部４４を掌、拳等で押圧し又は叩くように操作をするが、押圧操作部４４を押圧方向に移動自在に支持する固定部材４５に第１温度演出手段５３ａ、第２温度演出手段５３ｂを装着しているため、ペルチェ素子６２、加熱素子６３を含む各温度演出手段５３ａ，５３ｂ自体の耐久性も向上する利点がある。
【００６４】
しかも、固定部材４５の第１体感部５２ａ、第２体感部５２ｂを突出状に構成する一方、その裏側の凹部に嵌まる熱伝導体６４ａ，６４ｂを介してペルチェ素子６２、加熱素子６３を設けているため、熱伝導体６４ａ，６４ｂを介して固定部材４５の第１体感部５２ａ、第２体感部５２ｂを効率よく集中的に冷却し加熱することができる。
【００６５】
更に冷却側の第１温度演出手段５３ａにペルチェ素子６２を用い、加熱側の第２温度演出手段５３ｂに通常のセラミックヒータ等の加熱素子６３を用いているので、両方にペルチェ素子６２を用いる場合に比較して、加熱側の第２温度演出手段５３ｂの構造を簡単にできる。即ち、第２温度演出手段５３ｂ側にペルチェ素子６２を用いた場合には、その発熱側で第２体感部５２ｂを加熱するため、そのペルチェ素子６２の発熱側の放熱が問題となって構造的に非常に複雑になる。しかし、第２温度演出手段５３ｂにセラミックヒータ等の加熱素子６３を用いることにより、放熱の問題を解消できる。
【００６６】
ペルチェ素子６２、加熱素子６３への直流電流は、所定時間の経過により遮断すればよい。この場合にもペルチェ素子６２、加熱素子６３の通電時間と温度変化との関係、遮断後の時間と温度変化の関係等を把握しておれば、通電の遮断後も各体感部５２ａ，５２ｂを適正温度（冷却、加熱）に維持することが可能である。
【００６７】
図１０は本発明の第２の実施形態を例示する。この実施形態では、特別図柄の変動後に特別利益状態が発生する期待度の高低に応じて複数種類の温度演出パターンがあり、その期待度の高い温度演出パターンの場合には、最初は両体感部５２ａ，５２ｂの何れか一方を熱く（又は冷たく）し、その後に他方を冷たく（又は熱く）して、遊技者がその時間の違いにより期待度の高いことを温度演出により体感できるようにしたものである。
【００６８】
即ち、期待度の高低に応じて複数種類の温度演出パターンの内、期待度の高い特定の温度演出パターンを抽選した場合には、図１０（ａ）に示すように、所定条件の成立から所定時間ｔの経過後に有効期間Ｔ１が到来し、この有効期間Ｔ１内に押圧操作手段２３を押せば所定の予告演出が予告演出画像表示手段４１に出現する。
【００６９】
この有効期間Ｔ１では、温度演出制御部７３の制御により、図１０（ｂ）に示すように、先ず第２体感部５２ｂに対応する第２温度演出手段５３ｂの発熱素子６３に所定時間Ｔ３通電し、その発熱素子６３により第２体感部５２ａを所定温度に加熱する。そして、第２体感部５２ａの加熱開始から時間ｔ１経過後に、図１０（ｃ）に示すように、第１体感部５２ａに対応する第１温度演出手段５３ａのペルチェ素子６２に所定時間Ｔ４通電して、そのペルチェ素子６２により第１体感部５２ａを冷却する。
【００７０】
従って、遊技者が有効期間Ｔ１において、図１０（ｄ）に示すように、第２体感部５２ｂの加熱から第１体感部５２ａの冷却に至るまでの長押し時間Ｔ５の中、押圧操作手段２３を長押しすれば、その間の第２体感部５２ｂの加熱及び第１体感部５２ａの冷却によって、特別図柄の変動後に特別利益状態となる期待度が高い「檄熱」であることを体感することができる。
【００７１】
なお、図１０（ｅ）に示すように、遊技者がＰ１の時点で押圧操作手段２３を短時だけ押圧したときには、遊技者は第２体感部５２ｂの高温を体感することができ、またＰ２の時点で押圧操作手段２３を短時だけ押圧したときには、遊技者は第１体感部５２ａの低温と第２体感部５２ｂの高温とを体感することができる。そのため遊技者が押圧操作手段２３を操作するときの操作時間の長短によって、遊技者の体感が異なる温度演出も可能である。
【００７２】
図１１は本発明の第３の実施形態を例示する。この実施形態では、第１温度演出手段５３ａにペルチェ素子６２を備え、そのペルチェ素子６２の加熱側の熱をヒートシンク６５ａ等の適宜熱伝導手段７４を介して第２温度演出手段５３ｂ側に伝えて、第２体感部５２ｂ側の加熱用の熱源として利用するようにしたものである。
【００７３】
ヒートシンク６５ａは第１温度演出手段５３ａ側のペルチェ素子６２と第２温度演出手段５３ｂの熱伝導体６４ｂとに跨がる放熱板６５ａ１と、この放熱板６５ａ１の第２温度演出手段５３ｂ側に設けられた多数のフィン６５ａ２とを有し、ペルチェ素子６２の発熱を第２温度演出手段５３ｂ側に導いて、第２温度演出手段５３ｂ側のフィン６５ａ２から放熱しながら、第２体感部５２ｂを加熱するようになっている。熱伝導手段７４はペルチェ素子６２の発熱側の熱を第２温度演出手段５３ｂ側に伝え得るものであれば十分であり、ヒートシンク６５ａ以外のものを採用することも可能である。その他の構成は第１の実施形態と同様である。
【００７４】
このようにすれば第１温度演出手段５３ａと第２温度演出手段５３ｂとがあるにも拘わらず、その第１温度演出手段５３ａのペルチェ素子６２を利用して第１体感部５２を冷却し、第２体感部５２ｂを加熱することが可能となり、構造の簡素化及び省エネルギー化を促進できると共に、加熱、冷却時の通電制御も容易にできる利点がある。
【００７５】
図１２は本発明の第４の実施形態を例示する。この実施形態では、両温度演出手段５３ａ，５３ｂにペルチェ素子６２を採用したものである。第１温度演出手段５３ａは第１の実施形態と略同じである。第２温度演出手段５３ｂは、第２体感部５２ｂ側が加熱側となるペルチェ素子６２と、このペルチェ素子６２の加熱側の温度変化を第２体感部５２ｂに伝達する熱伝導体６４ｂと、ペルチェ素子６２の加熱側の熱を放熱するヒートシンク６５ｂと、ペルチェ素子６２の外周を取り囲む断熱材６６ｂとを備えている。
【００７６】
熱伝導体６４ｂはヒートシンク６５ｂの放熱板を兼用するものであって、ペルチェ素子６２から外側に張り出した部分に多数の放熱用のフィン６５ｂ２が設けられている。従って、熱伝導体６４ｂとフィン６５ｂ２とによりヒートシンク６５ｂが構成されている。なお、フィン６５ｂ２は取り付け板の開口から下側に突出している。熱伝導体とヒートシンクは別構造にしてもよい。他の構成は第１の実施形態と同様である。
【００７７】
このように各温度演出手段５３にペルチェ素子６２を設けることも可能である。この場合、熱伝導体のペルチェ素子６２の外側に放熱用のフィンを設けることにより、ペルチェ素子６２の発熱側の熱を効率的に放熱することができる。
【００７８】
図１３は本発明の第５の実施形態を例示する。この実施形態では、第１温度演出手段５３ａと第２温度演出手段５３ｂは独立して構成されており、固定部材４５の第１体感部５２ａ、第２体感部５２ｂに対応してその下側に別々に装着されている。
【００７９】
第１温度演出手段５３ａは熱伝導体６４ａがペルチェ素子６２を挟んでネジ等の固定手段６７ａによりヒートシンク６５ａの放熱板６５ａ１に固定され、放熱板６５ａ１がネジ等の固定手段６９ａにより固定部材４５に固定されている。
【００８０】
第２温度演出手段５３ｂは加熱素子６３と熱伝導体６４ｂと放熱板６５ｂ１とを備え、熱伝導体６４ｂが加熱素子６３を挟んでネジ等の固定手段６７ｂによりヒートシンク６５ｂの放熱板６５ｂ１に固定され、放熱板６５ｂ１がネジ等の固定手段６９ｂにより固定部材４５に固定されている。他の構成は各実施形態と同様である。
【００８１】
このように固定部材４５に各温度演出手段５３ａ，５３ｂを設けるに当たっては、各温度演出手段５３ａ，５３ｂを固定部材４５に対して別々に装着するようにしてもよい。
【００８２】
図１４は本発明の第６の実施形態を例示する。第１温度演出手段５３ａ及び第２温度演出手段５３ｂは、押圧操作手段２３の操作時に遊技者がその掌等で略同時に接触可能な範囲内に近接して配置すれば十分であり、図１４（ａ）〜（ｄ）に示すように配置してもよい。
【００８３】
図１４（ａ）では、第１温度演出手段５３ａ、第２温度演出手段５３ｂは押圧操作手段２３の前後に配置されている。図１４（ｂ）では、第１温度演出手段５３ａ、第２温度演出手段５３ｂは押圧操作手段２３の左右に前後に複数（例えば３個）ずつ配置されている。
【００８４】
図１４（ｃ）では、押圧操作手段２３の手前側の左右に第１温度演出手段５３ａ、第２温度演出手段５３ｂは押圧操作手段２３の前後左右に配置されている。図１４（ｄ）では、押圧操作手段２３の外周の対角線方向に複数の第１温度演出手段５３ａと第２温度演出手段５３ｂとが配置されている。
【００８５】
図１５〜図１８は本発明の第７の実施形態を例示する。この実施形態では、第１化粧カバー２１には第１貯留手段１８の前側の左右方向の中央部に発光演出手段７９が配置され、この発光演出手段７９に対して発射ハンドル２０と反対側に押圧操作手段２３と第１温度演出手段５３ａ及び第２温度演出手段５３ｂとが配置されている。発光演出手段７９は赤色、その他で回転発光する回転発光手段（図示省略）を発光カバー７９ａ内に備え、特別遊技状態の発生の予告等の適宜発光演出に使用されている。
【００８６】
押圧操作手段２３は左右方向に長い横長状の固定部材４５と、この固定部材４５により指示された押圧操作部４４とを備え、第１の実施形態と略同様に構成されている。固定部材４５と押圧操作部４４は上面側が略同高さである。第１温度演出手段５３ａ、第２温度演出手段５３ｂは押圧操作部４４の左右方向の一側に前後方向に近接して配置されている。
【００８７】
第１温度演出手段５３ａはペルチェ素子６２と熱伝導体６４ａとヒートシンク６５ａ等を備え、第２温度演出手段５３はヒータ等の加熱素子６３と熱伝導体６４ｂとヒートシンク６５ｂ等を備えている。第１温度演出手段５３ａはその熱伝導体６４ａが固定部材４５の第１体感部５２ａの裏側に、第２温度演出手段５３ｂの熱伝導体６４ｂが固定部材４５の第２体感部５２ｂの裏側に夫々固定されている。各体感部５２ａ，５２ｂは固定部材４５の上面に平坦状に形成されている。なお、押圧操作部４４、各体感部５２ａ，５２ｂの平面形状は適宜変更可能である。他の構成は各実施形態と同様である。
【００８８】
このように押圧操作手段２３の押圧操作部４４の左右方向の一側に、各体感部５２ａ，５２ｂ及び各温度演出手段５３ａ，５３ｂを前後に並べて配置することも可能である。従って、各温度演出手段５３ａ，５３ｂはこれに対応する各体感部５２ａ，５２ｂが押圧操作手段２３の近傍に位置するように配置すれば十分であり、押圧操作手段２３の前側、左側の他、押圧操作手段２３の後側、右側の何れに配置することも可能である。
【００８９】
図１９は本発明の第８の実施形態を例示する。この実施形態では、第１貯留手段１８の一側部にジョイスティック式の揺動操作手段８１が設けられ、この揺動操作手段８１の握り部８２に第１体感部５２ａ、第２体感部５２ｂ、第１温度演出手段５３ａ、第２温度演出手段５３ｂが設けられている。
【００９０】
揺動操作手段８１は、下部が第１化粧カバー２１内の支持部に前後、左右方向に揺動操作可能に支持された握り部８２と、この握り部８２の前後、左右の揺動操作を検出する検出部８３とを備え、握り部８２を前後又は左右方向に操作したときに、検出部８３がその握り部８２の動きを検出して演出、その他の制御を行うようになっている。
【００９１】
握り部８２には握り部８２を手で把持したときに接触する側面等の適当位置に第１体感部５２ａ、第２体感部５２ｂと、それに対応する第１温度演出手段５３ａ、第２温度演出手段５３ｂとが設けられている。各温度演出手段５３ａ，５３ｂの構成、及びその他の構成は各実施形態と同様である。
【００９２】
このように各温度演出手段５３ａ，５３ｂは、所定の遊技条件が成立したときに前後方向又は左右方向に操作する揺動操作手段８１の握り部８２に設けることも可能である。この場合にも握り部８２の把持中に各温度演出手段５３ａ，５３ｂにより各体感部５２ａ，５２ｂを加熱又は冷却することにより、遊技者は温度演出を体感できる。
【００９３】
図２０、図２１は本発明の第９の実施形態を例示する。この実施形態では、握り部８２には、図２０に示すように、この握り部８２を把持したときの人指し指、中指、薬指等の各手指に対応する凹部等の第１〜第３位置決め部８４ａ〜８４ｃが上下方向に設けられている。第１〜第３位置決め部８４ａ〜８４ｃには、第１〜第３体感部５２ａ〜５２ｃと、その第１〜第３体感部５２ａ〜５２ｃに対応する第１〜第３温度演出手段５３ａ〜５３ｃとが設けられている。第１〜第３温度演出手段５３ａ〜５３ｃはペルチェ素子６２を有する。
【００９４】
各ペルチェ素子６２は各温度演出パターンに応じて温度演出制御部７３により通電方向、温度及び時期を適宜制御可能であり、３本の手指が第１〜第３位置決め部８４ａ〜８４ｃに触れたときに、各手指が覚知する温度、順序等の組み合わせにより、遊技者にサーマルグリル錯覚を惹起させるようになっている。
【００９５】
その場合の温度演出パターンとしては、例えば、図２１（ａ）〜（ｃ）に示すような第１〜第３パターンが考えられる。第１パターンは、図２１（ａ）に示すように、温度演出制御部７３からの出力により、先ず第２温度演出手段５３ｂを中指と略同じ温度にし、その後に第１温度演出手段５３ａ、第３温度演出手段５３ｃを加熱（又は冷却）する。このときには、遊技者はサーマルグリル錯覚により、人指し指、薬指が第１温度演出手段５３ａ、第３温度演出手段５３ｃの加熱（又は冷却）を覚知したときに、中指が第２温度演出手段５３ｂの加熱（又は冷却）を覚知することができる。
【００９６】
第２パターンは、図２１（ｂ）に示すように、温度演出制御部７３からの出力により、第２温度演出手段５３ｂはそのままとした状態で、第１温度演出手段５３ａ、第３温度演出手段５３ｃを加熱（又は冷却）する。この場合には、遊技者はサーマルグリル錯覚により、人指し指が第１温度演出手段５３ａの温度の低下（又は上昇）を、薬指が第３温度演出手段５３ｃの温度の低下（又は上昇）を夫々覚知したときに、中指も人指し指、薬指と略同じ温度を覚知することができる。
【００９７】
第３パターンは、図２１（ｃ）に示すように、第１温度演出手段５３ａ、第２温度演出手段５３ｂを加熱（又は冷却）し、第３温度演出手段５３ｃを薬指と略同じ温度にする。この場合には、遊技者はサーマルグリル錯覚により、人指し指、中指、薬指の３本とも略同一の温度を覚知することができる。
【００９８】
このように第１〜第３位置決め部８４ａ〜８４ｃに対応して第１〜第３温度演出手段５３ａ〜５３ｃを配置した場合には、第１〜第３温度演出手段５３ａ〜５３ｃの温度変化を覚知する手指が略一定するため、その数の増加と相俟って多種類の温度演出パターンを構成することができる。また各手指毎に覚知状況の把握が異なることから、サーマルグリル錯覚を利用した温度演出パターンを構成することも可能である。
【００９９】
以上、本発明の各実施形態について詳述したが、本発明はこの各実施形態に限定されるものではなく、本発明の趣旨を逸脱しない範囲で種々の変更が可能である。例えば、各実施形態では、遊技機として弾球遊技機の一つであるパチンコ機１について例示しているが、パチンコ機１以外のアレンジボール機、スロットマシン等の各種の遊技機においても同様に実施可能であることは云うまでもない。
【０１００】
また押圧操作手段２３等は遊技者の操作性を考慮して配置すればよく、パチンコ機１の場合にも第１貯留手段１８の第１化粧カバー２１の前側等に限定されるものではなく、任意の箇所に配置することも可能である。操作手段は押圧操作手段２３、揺動操作手段８１等に限定されるものではなく、例えばパチンコ機の場合には発射ハンドルでもよいし、その他のものであってもよい。
【０１０１】
操作手段又は操作手段の近傍に温度演出手段を設けて、その操作手段を操作する際に掌、手指等が体感部に接触して温度演出手段による温度変化を覚知するのが一般的である。しかし、遊技機の操作手段又は操作手段の近傍以外の特定の位置を体感部として、遊技中に所定条件が成立したときに、画像表示手段等による報知に従ってその体感部に触れたときに、温度演出手段の温度変化の体感を通じて予告情報を把握するようにしてもよい。従って、温度演出手段は操作手段又は操作手段の近傍以外の位置に配置してもよい。
【０１０２】
温度演出手段にペルチェ素子６２を使用する場合には、温度演出制御部７３は通電方向を切替可能にすることが望ましい。その場合、温度演出の終了後に通電方向を切り替えることにより、ペルチェ素子６２の加熱、冷却が逆になるので、温度演出終了後に早期に体感部の温度を戻すことができる。
【０１０３】
温度演出手段はペルチェ素子６２が適当であり、複数の温度演出手段の全てにペルチェ素子６２を設けてもよいが、冷却用にはペルチェ素子６２を使用し、加熱用にはペルチェ素子以外のヒータ等の加熱素子６３を使用してもよい。従って、温度演出手段はペルチェ素子式に限定されるものではない。また複数種類の温度演出手段を設ける場合、加熱と冷却とによる温度変化の他に、高温での加熱と低温での加熱とを組み合わせて異なる温度に変化させる等、その加熱又は冷却の一方のみでもよい。
【符号の説明】
【０１０４】
２３    押圧操作手段
２８    画像表示手段
４０    有効期間報知手段
４１    予告演出画像表示手段
４１ａ    予告演出画像
４４    押圧操作部
５２ａ    第１体感部
５２ｂ    第２体感部
５２ｃ    第３体感部
５３ａ    第１温度演出手段
５３ｂ    第１温度演出手段
５３ｃ    第１温度演出手段
６２    ペルチェ素子
６３    加熱素子
８１    揺動操作手段
【図１】
2016104092.tif 000003
【図２】
2016104092.tif 000004
【図３】
2016104092.tif 000005
【図４】
2016104092.tif 000006
【図５】
2016104092.tif 000007
【図６】
2016104092.tif 000008
【図７】
2016104092.tif 000009
【図８】
2016104092.tif 000010
【図９】
2016104092.tif 000011
【図１０】
2016104092.tif 000012
【図１１】
2016104092.tif 000013
【図１２】
2016104092.tif 000014
【図１３】
2016104092.tif 000015
【図１４】
2016104092.tif 000016
【図１５】
2016104092.tif 000017
【図１６】
2016104092.tif 000018
【図１７】
2016104092.tif 000019
【図１８】
2016104092.tif 000020
【図１９】
2016104092.tif 000021
【図２０】
2016104092.tif 000022
【図２１】
2016104092.tif 000023